(57)【要約】【課題】本発明は小型でありながら、良好に低音を再生できるスピーカシステムを提供することを目的とする。【解決手段】本発明は、この課題を解決するために、第１開口部１０２を有する筐体１０３、スピーカユニット１５０、第１音響管１２０、第２音響管１３０を含んでいる。スピーカユニット１５０はフレーム１５１を含み、筐体１０３へ装着されている。第１音響管１２０と第２音響管１３０は、筐体１０３内に設けられている。そして、第１音響管１２０の第１端部１２１は、閉じられている。一方、第２音響管１３０の第２端部１３１は、第１開口部１０２と連結されている。第３端部１０４は、フレーム１５１の後方に配置された第２開口部１０５を含んでいる。これにより、スピーカシステムは小型でありながら、良好に低音を再生できる。【選択図】図１
2015026888.tif 000002
【特許請求の範囲】
【請求項１】
第１開口部を有した筐体と、
前記筐体に装着され、フレームを含むスピーカユニットと、
前記筐体内に設けられ、第１端部が閉じたラビリンス型の第１音響管と、
前記筐体内に設けられ、第２端部が前記第１開口部と連結された第２音響管と、
前記第１音響管と前記第２音響管のうちの少なくともいずれか一方に形成され、かつ前記フレームの後方に配置された第２開口部を備えた第３端部とを、
備えた、スピーカシステム。
【請求項２】
前記第３端部は、前記第１音響管に形成された、
請求項１に記載のスピーカシステム。
【請求項３】
前記第３端部には、
前記第１音響管に設けられた第４端部と、
前記第２音響管に設けられ、かつ前記第４端の隣りに並んで配置された第５端部とを、
さらに備えた、
請求項２に記載のスピーカシステム。
【請求項４】
前記フレームの中央部に設けられた磁気回路固定部と、
前記磁気回路固定部に前面が結合され、かつ前記第４端部の隣に配置された外磁型の磁気回路とを、
さらに備えた、
請求項３に記載のスピーカシステム。
【請求項５】
前記フレームの中央部に設けられた磁気回路固定部と、
前記磁気回路固定部に前面が結合され、前記第２開口部よりも後方側に背面を有した外磁型の磁気回路とを、
さらに備えた、請求項１に記載のスピーカシステム。
【請求項６】
前記筐体には、
前記スピーカユニットが前面端部側に寄った位置に装着された前面と、
前記前面端部に連結され、前記第３端部の前記磁気回路側とは反対側に配置された側面とを、
さらに備えた、請求項５に記載のスピーカシステム。
【請求項７】
前記第１音響管と前記第２音響管のうちのすくなくともいずれか一方には、前記磁気回路の背面側を通過する背面通過部をさらに備えた、
請求項１に記載のスピーカシステム。
【請求項８】
一方の側面が前記第１音響管の内壁面を兼ね、かつ他方の側面が前記第２音響管の内壁面を兼ねた第１共用壁をさらに備えた、
請求項１に記載のスピーカシステム。
【請求項９】
前記筐体には、前記第２音響管の外壁面を兼ね、かつ前記筐体の上面と下面の間を連結した側面をさらに備えた、
請求項１に記載のスピーカシステム。
【請求項１０】
前記筐体の上面と下面の間を連結し、側面が前記第１音響管の内壁面と前記第２音響管の内壁面のうちのすくなくともいずれか一方を兼ねる第２連結壁と、
前記第２連結壁と直交して配置されて、前記筐体の上面と下面の間を連結し、かつ側面が前記第１音響管の内壁面と前記第２音響管の内壁面のうちのすくなくともいずれか一方を兼ねた第３連結壁とを、
さらに備えた、
請求項１に記載のスピーカシステム。
【請求項１１】
前記第２連結壁と前記第３連結壁とが交差する位置に設けられ、かつ前記筐体の上面と下面のすくなくともいずれか一方の面に形成された凹部を、
さらに備えた、
請求項１０に記載のスピーカシステム。
【請求項１２】
前記筐体を貫通する貫通孔が形成され、かつ前記第２連結壁と前記第３連結壁とが交差する交差部を、
さらに備えた、
請求項１０に記載のスピーカシステム。
【請求項１３】
前記第１音響管には、
前記筐体の上面の外周辺のうちで最も長い辺に連結された側面に沿って、並んで配置された複数の折り返し部をさらに備える、
請求項１に記載のスピーカシステム。
【請求項１４】
前記第１音響管に設けられた折り返し部と、
前記第１音響管に設けられ、前記折り返し部の一端に連結された第１直線部と、
前記第１音響管に設けられ、前記折り返し部の他端に連結された第２直線部と、
前記第１直線部と前記第２直線部との間に設けられ、一方の側面の少なくとも一部が前記第１直線部の内壁面を兼ね、かつ他方の側面のすくなくとも一部が前記第２直線部の内壁面を兼ねる第２共用壁をさらに備えた、
請求項１に記載のスピーカシステム。
【請求項１５】
前記筐体の上面と下面の間を連結し、かつ前記第２共用壁を含む第４連結壁を、
さらに備えた、請求項１４に記載のスピーカシステム。
【請求項１６】
前記スピーカユニットの形状は、トラック状または矩形状であり、前記筐体の上面と下面との間の距離は、前記スピーカユニットの短い方向の幅とほぼ等しくした請求項１に記載のスピーカシステム。
【請求項１７】
内部に音響空間を含む筐体と、
前記筐体に装着され、フレームの背面側に空間を有したスピーカユニットと、
前記空間と連結され、前記スピーカユニットの背面方向へ出力された音を、前記筐体外へ導出するバスレフポートと、
前記空間とフレームの背面側で連結され、前記スピーカユニットの背面方向へ出力された音のうちの一部の音を打ち消すことができる長さであり、前記空間とともに前記音響空間を形成するラビリンス型の第１音響管とを、
備えた、スピーカシステム。
【請求項１８】
放音孔を有した枠体と、
前記枠体内に収納された増幅部と、
前記枠体内に収納され、前記増幅部の出力側が電気的に接続された請求項１に記載のスピーカシステムと、
とを備える、電子機器。
【請求項１９】
枠体の前面の中央部に設けられた表示部を、
さらに備えた、請求項１８に記載の電子機器。
【請求項２０】
前記スピーカシステムは、前記枠体の角部に配置された、
請求項１８に記載の電子機器。
【請求項２１】
前記スピーカシステムには、
前記放音孔の内側に配置されたスピーカユニットと、
前記スピーカユニットが中央からオフセットした位置に装着された前面部と、
この前面部が下方を向き、かつ前記スピーカユニットが前記角部から遠くに配置される向きで、前記枠体内に収納された筐体とを、
備えた、請求項１８に記載の電子機器。
【請求項２２】
内部に空間を有した本体部と、
前記本体部の中に収納された駆動部および増幅部と
前記本体部の中に収納され、前記増幅部の出力側が電気的に接続された請求項１に記載のスピーカシステムとを、
備える、移動体装置。
【発明の詳細な説明】
【技術分野】
【０００１】
本技術分野は、電子機器や移動体装置へ収納されるバスレフ方式のスピーカシステムと、これを用いた電子機器ならびに、移動体装置に関する。
【背景技術】
【０００２】
以下、従来のスピーカシステムについて説明する。従来のスピーカシステムは、筐体、開口部、スピーカユニット、空間を含んでいる。スピーカユニットは、筐体の前面に固定している。そして、筐体内には空間を有しており、この空間内にバスレフダクト、あるいはラビリンス型の音響管を含んでいる。
【０００３】
なお、筐体には開口部が形成されている。そして、バスレフダクトあるいはラビリンス型の音響管の一端を開口部へ連結し、筐体内にはバスレフダクトあるいはラビリンス型の音響管の他端を配置している。
【０００４】
このようなスピーカシステムでは、低音の音圧レベルを大きくするために、スピーカユニットの背面側や周囲には十分な大きさの空間を形成する。したがって、バスレフダクトやラビリンス型の音響管の他端は、スピーカユニットから遠くに配置している。
【０００５】
なお、この出願の発明に関連する先行技術文献情報としては、例えば、特許文献１が知られている。
【先行技術文献】
【特許文献】
【０００６】
【特許文献１】実開昭６３−０５５６９５号公報
【発明の概要】
【発明が解決しようとする課題】
【０００７】
近年、スピーカシステムを搭載する電子機器は小型化の傾向である。したがって、電子機器へ搭載するスピーカシステムも小型であることが必要である。しかしながら従来のスピーカシステムを小型化した場合、スピーカユニットの周囲に十分な空間を確保することが困難である。したがってバスレフ方式を用いたことによる低音の音圧レベルの改善が、抑制されるという課題を有していた。
【０００８】
そこで本発明は、この問題を解決したもので、小型でありながら、良好に低音を再生できるスピーカシステムを提供することを目的としたものである。
【課題を解決するための手段】
【０００９】
この目的を達成するために、本発明のスピーカシステムは、第１開口部を有する筐体、スピーカユニット、第１音響管、第２音響管を含んでいる。スピーカユニットはフレームを含み、筐体へ装着されている。第１音響管と第２音響管は、筐体内に設けられている。そして、第１音響管の第１端部は、第１開口部と連結されている。一方、第２音響管の第２端部は、閉じられている。第３端部は、フレームの後方に配置された第２開口部を含んでいる。なお、第３端部は、第１音響管と第２音響管のうちの少なくともいずれか一方に設けられている。
【００１０】
さらに、本発明の他の側面のスピーカシステムは、内部に音響空間を含む筐体、スピーカユニット、バスレフポート、ラビリンス型の音響管を含んでいる。スピーカユニットは、フレームの背面側に空間を有するように、筐体に装着されている。バスレフポートは、空間と連結されて、スピーカユニットの背面方向へ出力された音を、筐体外へ導出している。ラビリンス型の第２音響管は、フレームの背面側で空間と連結されており、空間とともに音響空間を形成している。さらに、ラビリンス型の第２音響管は、スピーカユニットの背面方向へ出力された音のうちの一部の音を打ち消すことができる長さに設定されている。
【発明の効果】
【００１１】
以上のように本発明のスピーカシステムにおいて、第２音響管の一端は、閉じられているので、第２音響管では、第２音響管の共振周波数の近傍の音を抑圧できる。さらに、スピーカユニットの背面方向へ出力された音は、フレームの後方から第１音響管あるいは第２音響管へ導入されるので、スピーカユニットの背面方向へ出力された音を効率良く、第１音響管あるいは、第２音響管へ導入できる。その結果、スピーカシステムは、小型でありながら、良好に低音を再生できる。
【００１２】
また、本発明の他のスピーカシステムでは、第２音響管が、スピーカユニットの背面方向へ出力された音のうちの一部の音を打ち消す。さらに、第２音響管は、フレームの背面側に形成された空間とともに音響空間を形成しているので、小型でありながら、ヘルムホルツ共鳴周波数を低くできる。したがって、スピーカシステムは、小型でありながら、良好に低音を出力できる。
【図面の簡単な説明】
【００１３】
【図１】本発明の実施の形態のスピーカシステムを上から見た場合の断面図
【図２】本発明の実施の形態のスピーカシステムの正面図
【図３】本発明の実施の形態のスピーカシステムの上面図
【図４】本発明の実施の形態のスピーカシステムの側面図
【図５】本発明の実施の形態のスピーカシステムを側面方向から見た場合の断面図
【図６】本発明の実施の形態のスピーカシステムの斜視図
【図７】本発明の実施の形態のスピーカユニットの断面図
【図８】本発明の実施の形態のスピーカシステムの第１音響管の概念図
【図９】本発明の実施の形態の他の例のスピーカシステムを上から見た場合の断面図
【図１０】本発明の実施の形態のさらに他の例のスピーカシステムを上から見た場合の断面図
【図１１】本発明の実施の形態のさらなる例のスピーカシステムを上から見た場合の断面図
【図１２】本発明の実施の形態のスピーカシステムを用いた電子機器の概念図
【図１３】本発明の実施の形態のスピーカシステムを用いた電子機器の要部断面図
【図１４】本発明の実施の形態のスピーカシステムを用いた他の例の電子機器の概念図
【図１５】本発明の実施の形態のスピーカシステムを用いた移動体装置の概念図
【発明を実施するための形態】
【００１４】
以下、本実施の形態におけるスピーカシステムを、図面を参照しながら、説明する。図１は、本実施の形態のスピーカシステムを上から見た場合の断面図である。図２は、本実施の形態のスピーカシステムの正面図である。図３は、本実施の形態のスピーカシステムの上面図である。図４は、本実施の形態のスピーカシステムの側面図である。図５は、本実施の形態のスピーカシステムを側面方向から見た場合の断面図である。図６は、本実施の形態のスピーカシステムの斜視図である。なお、図１は、図２の断面線１−１で切断した状態の断面図である。また、図５は、図２の断面線５−５で切断した状態の断面図である。
【００１５】
スピーカシステム１０１は、第１開口部１０２を有した筐体１０３、第３端部１０４と、第１音響管１２０、第２音響管１３０、およびスピーカユニット１５０を含んでいる。そして、スピーカユニット１５０は、筐体１０３へ装着されている。
【００１６】
図７は、本実施の形態のスピーカユニット１５０の断面図である。図７に示すように、スピーカユニット１５０は、フレーム１５１、磁気回路固定部１５２、磁気ギャップ１５６を含む外磁型の磁気回路１５３、振動板１５４、ボイスコイル１５５を含んでいる。磁気回路固定部１５２は、フレーム１５１の中央部に設けられている。磁気回路１５３の前面は、磁気回路固定部１５２の背面側に結合されている。振動板１５４の外周端は、フレーム１５１の外周端部へ連結されている。ボイスコイル１５５の一端側は、振動板１５４の中央部に結合されている。そして、ボイスコイル１５５の他端側は、磁気ギャップ１５６へ挿入されている。
【００１７】
図１に示すように、第１音響管１２０と第２音響管１３０は、ともに筐体１０３内に収納されている。ラビリンス型の第１音響管１２０の第１端部１２１は閉じられている。一方、第２音響管１３０の第２端部１３１は、第１開口部１０２と連結されている。第３端部１０４は、フレーム１５１の後方に配置されている。さらに、第３端部１０４には、第２開口部１０５が設けられている。なお、第３端部１０４は、第２音響管１３０に設けることが好ましい。しかし、第３端部１０４は、第１音響管１２０に設けてもかまわない。さらに、第３端部１０４は、第１音響管１２０と第２音響管１３０の両方に設けることもできる。
【００１８】
周波数の高い高音は、直進性が高い。そこで、ラビリンス型の第１音響管１２０は、第３端部１０４と第１端部１２１の間で、折れ曲がっている。この構成により、高音は第１端部１２１に到達するまでに減衰する。一方、周波数の低い低音は、回折しやすい。したがって、低音が第１端部１２１に到達するまでの間に、低音が減衰することを抑制できる。そして、第１端部１２１で反射された低音は、第３端部１０４へと戻り、第２音響管１３０を介して筐体１０３の外部へと出力されている。ただし、第１音響管１２０の第１端部１２１は閉じられているので、第１音響管１２０の長さの約２倍の波長の長さの音は、減衰する。したがって、ラビリンス型の第１音響管１２０は、第１音響管１２０の長さの約２倍の波長の長さの音を、筐体１０３の外部へ出力することを抑制できる。
【００１９】
以上の構成により、スピーカシステム１０１は、第１開口部１０２から、ヘルムホルツ共鳴周波数以上の周波数の音を、筐体１０３の外へと出力できる。なお、スピーカシステム１０１のヘルムホルツ共鳴周波数は、主に音響空間１０６と第２音響管１３０によって決定付けられている。すなわち、第２音響管１３０は、いわゆるバスレフポートであり、スピーカユニット１５０の背面方向へ出力された音を、第１開口部１０２を介して、筐体１０３の外へ導出している。なお、第１音響管１２０は、フレーム１５１の背面側に形成された空間１０６Ａとともに、音響空間１０６を形成しているので、ヘルムホルツ共鳴周波数を低くできる。したがって、筐体１０３の大きさは小さくできる。その結果、スピーカシステム１０１は、小型でありながら、良好に低音を出力できる。
【００２０】
さらに、スピーカユニット１５０の背面方向へ出力された音を効率良く、第１音響管１２０あるいは、第２音響管１３０へ導入できる。さらに、第１音響管１２０は、第１端部１２１が閉じられているので、第１音響管１２０の長さの約２倍の波長の長さの音を、大きく減衰できる。したがって、スピーカシステム１０１は、スピーカユニット１５０が出力する音のうちで、第１音響管１２０の長さの約２倍の波長の長さの音を抑制して、筐体１０３外へと出力している。したがって、スピーカシステム１０１は、小型でありながら、良好に低音を出力できる。
【００２１】
次に、スピーカシステム１０１について、図１から図７を参照しながら、さらに詳しく説明する。バスレフ方式のスピーカシステム１０１は、内部に音響空間１０６が形成された筐体１０３、第１音響管１２０、第２音響管１３０、スピーカユニット１５０を含んでいる。筐体１０３は、略立方体であることが好ましい。この場合、筐体１０３は、前面１０３Ａ、側面１０３Ｂと、図２に示す上面１０３Ｃ、下面１０３Ｄを含んでいる。さらに、側面１０３Ｂは、図３に示すように、第１側面１０３Ｅ、第２側面１０３Ｆ、第３側面１０３Ｇを含んでいる。前面１０３Ａ、第１側面１０３Ｅ、第２側面１０３Ｆ、第３側面１０３Ｇは、図２に示す上面１０３Ｃと下面１０３Ｄとを連結している。なお、第２側面１０３Ｆは前面１０３Ａに対向している。また、第１側面１０３Ｅは第３側面１０３Ｇに対向している。
【００２２】
図４に示すように、第１開口部１０２は、第３側面１０３Ｇに設けられている。しかし、第１開口部１０２は、第３側面１０３Ｇに限られず、図３に示す前面１０３Ａ、第１側面１０３Ｅ、第２側面１０３Ｆ、上面１０３Ｃ、下面１０３Ｄのいずれかに形成してもかまわない。あるいは、第１開口部１０２は、上面１０３Ｃ、下面１０３Ｄのいずれかに形成してもかまわない。
【００２３】
スピーカユニット１５０の外形の形状は、図２に示すように、たとえばトラック状である。そして、スピーカユニット１５０の短い方向の横幅１５７は、上面１０３Ｃと下面１０３Ｄとの間の距離１０７とほぼ等しい。したがって、スピーカシステム１０１の厚みを薄くできる。なお、スピーカユニット１５０の外形の形状は、トラック状に限られない。スピーカユニット１５０の外形の形状は、たとえば矩形状でもかまわない。
【００２４】
図７に示すスピーカユニット１５０は、ボイスコイル１５５が振動することによって、振動板１５４が振動し、スピーカユニット１５０の前方と後方とに音を出力している。ボイスコイル１５５の振動は、磁気回路１５３の磁力によって生じる。
【００２５】
磁気回路１５３は、ヨーク１５３Ａ、磁石１５３Ｂ、上部プレート１５３Ｃ、センターポール１５３Ｄを含んでいる。なお、センターポール１５３Ｄは、ヨーク１５３Ａの中央部に形成された突起である。上部プレート１５３Ｃは、磁石１５３Ｂの前面に結合されている。磁石１５３Ｂは、ヨーク１５３Ａの前面側に結合されている。したがって、上部プレート１５３Ｃの前面側が、磁気回路固定部１５２の背面側に結合されている。なお、センターポール１５３Ｄは、磁石１５３Ｂと上部プレート１５３Ｃの中央部に形成された孔を貫通している。この構成により、上部プレート１５３Ｃとセンターポール１５３Ｄとが対向する領域に、磁気ギャップ１５６を形成できる。なお、磁気回路１５３には、反発磁石１５３Ｅを含むことが好ましい。この場合、反発磁石１５３Ｅは、ヨーク１５３Ａの背面側に結合する。この構成により、磁気ギャップ１５６の磁束密度を大きくできる。
【００２６】
スピーカユニット１５０は、さらにダストキャップ１５８を含むことが好ましい。この場合、ダストキャップ１５８は、振動板１５４の中央部に結合されている。そして、ダストキャップ１５８は、振動板の前方側に突出している。さらに、フレーム１５１は、孔１５１Ａを含むことが好ましい。この場合、振動板１５４から後方側へ出力された音は、孔１５１Ａを通過して、スピーカユニット１５０の外へと出力される。
【００２７】
図１に示すように、第３端部１０４は、フレーム１５１の後方に配置されている。したがって、スピーカユニット１５０の背面方向へ出力された音を効率良く、第１音響管１２０あるいは、第２音響管１３０へ導入できる。ところが、スピーカユニット１５０が出力する音のうちで、高音が、第１開口部１０２から出力されると、スピーカシステム１０１が出力する音の周波数特性が劣化する。したがって、高音が、第２音響管１３０へ導入されることを抑制することが好ましい。そこで、図７に示すように、フレーム１５１には、遮蔽部１５１Ｂを形成することが好ましい。遮蔽部１５１Ｂは、振動板１５４と第２開口部１０５との間に設けられ、振動板１５４から出力された音を遮るように配置している。この構成により、低音は、遮蔽部１５１Ｂを回折して、第２開口部１０５へ到達できる。一方、高音は、直線性が高いので、遮蔽部１５１Ｂによって遮られる。したがって遮蔽部１５１Ｂは、高音が第２開口部１０５へ到達することを抑制できる。その結果、高音が、第１開口部１０２から出力されることを抑制できるので、さらに良好に低音を再生できる。
【００２８】
そして、スピーカユニット１５０は、図２に示すように、フレーム１５１を前面１０３Ａへ固定することによって筐体１０３へ装着されている。なお、スピーカユニット１５０は、たとえば接着剤などによって筐体１０３へ固定されている。スピーカユニット１５０は、前面端部１０３Ｈ側に寄せて装着することが好ましい。この構成により、図１に示すラビリンス部分１２３を配置する空間が、スピーカユニット１５０の左右に分断されることを抑制できる。したがって、第１音響管１２０を筐体１０３内に効率的に配置できる。
【００２９】
そして、第１側面１０３Ｅは、前面端部１０３Ｈで前面１０３Ａと連結されている。したがって、第１側面１０３Ｅは、図１に示すように、第３端部１０４の磁気回路１５３側とは反対側に配置されている。すなわち、第３端部１０４は、第１側面１０３Ｅと磁気回路１５３との間に配置されている。このように、第１側面１０３Ｅと磁気回路１５３との間に、空間１０６Ａや、第３端部１０４を配置しているので、筐体１０３を小さくできる。
【００３０】
次に、第１音響管１２０、第２音響管１３０および、第３端部１０４について詳細に説明する。第３端部１０４は、第１音響管１２０と第２音響管１３０の双方に形成することが好ましい。この場合、第３端部１０４には、第１音響管１２０に形成された第４端部１２２と、第２音響管１３０に形成された第５端部１３２を含んでいる。そして、空間１０６Ａと第１音響管１２０とは、第４端部１２２によって連結されている。また、空間１０６Ａと第２音響管１３０とは、第５端部１３２によって連結されている。
【００３１】
以上の構成により、スピーカユニット１５０の背面方向へ出力された音を、効率良く第１音響管１２０と第２音響管１３０へ導入できる。したがって、スピーカシステム１０１は、小型でありながら、良好に低音を再生できる。
【００３２】
第１音響管１２０は、スピーカユニット１５０の背面方向へ出力された音のうちの一部の音を打ち消している。そのために、第１音響管１２０の共振周波数は、打ち消すべき音の周波数とほぼ等しくしておく。たとえば、第１音響管１２０は、打ち消すべき音の周波数の波長の約半分の長さとしておくと良い。
【００３３】
なお、高い周波数の音は、第２音響管１３０を通過する間に減衰する。したがって、第１開口部１０２から出力される高い周波数の音の音圧は、小さい。そこで、第１音響管１２０は、ヘルムホルツ共鳴周波数と異なり、かつ第２音響管１３０での減衰が小さな周波数の音を減衰させる長さであることが好ましい。この構成により、ヘルムホルツ共鳴周波数の近傍の周波数の低音を特に際立たせることができる。その結果、スピーカシステム１０１が出力する音を聞く聴取者は、迫力のある低音を感じることができる。
【００３４】
この場合、第１音響管１２０の共振周波数は、ヘルムホルツ共鳴周波数よりも高い周波数に設定することが好ましい。この構成により、ヘルムホルツ共鳴周波数の近傍の周波数の低音を特に際立たせることができる。なお、第１音響管１２０の共振周波数は、ヘルムホルツ共鳴周波数よりも低い周波数に設定してもかまわない。この場合、ヘルムホルツ共鳴周波数よりも低い周波数の音の減衰量は大きい。したがって、スピーカユニット１５０へ入力される音声信号にヘルムホルツ共鳴周波数よりも低い周波数を含んでいた場合に、図７に示す振動板１５４が、ヘルムホルツ共鳴周波数よりも低い周波数の信号によって、大きな振幅で振動することを抑制できる。その結果、スピーカユニット１５０へ入力する音声信号の振幅を大きくできるので、スピーカシステム１０１は、小型でありながら、良好に低音を出力できる。
【００３５】
磁気回路１５３の背面は、第２開口部１０５よりも後方側に配置することが好ましい。そこで、第２開口部１０５を磁気回路１５３の背面より前方に配置するために、第３端部１０４は、磁気回路１５３の背面から前方に向かって伸びている。すなわち、第３端部１０４は、磁気回路１５３の外周の外側に配置されている。この構成により、スピーカユニット１５０の背面方向へ出力された音は、良好に第１音響管１２０と第２音響管１３０へ導入できる。さらに、筐体１０３のスペースを効率良く利用できるので、筐体１０３を小さくできる。
【００３６】
第２開口部１０５を磁気回路１５３の背面よりも前方に配置した場合、空間１０６Ａが小さくなる。そこで、第２音響管１３０は、第１音響管１２０に比べて磁気回路１５３から遠くに配置しておくことが好ましい。すなわち、第５端部１３２は、第４端部１２２に比べて磁気回路１５３から遠くに配置されている。この構成により、空間１０６Ａの容積が小さくても、空間１０６Ａは、音響空間１０６として有効に働く。
【００３７】
また、第１音響管１２０は、第２音響管１３０の隣りに並んで配置することが好ましい。すなわち、第４端部１２２は、第５端部１３２の隣りに並んで配置されている。この構成により、第４端部１２２と第５端部１３２は、近くに配置される。したがって、スピーカユニット１５０の背面方向へ出力された音を効率良く、第１音響管１２０と第２音響管１３０へ導入できる。この場合も、第４端部１２２の隣に磁気回路１５３を配置することが好ましい。なお、第５端部１３２の隣に磁気回路１５３を配置してもかまわない。
【００３８】
図５に示すように、第１音響管１２０には、背面通過部１２４を含んでも良い。背面通過部１２４の形状は、直線であることが好ましい。したがって、背面通過部１２４は、磁気回路１５３の背面側を通過するように配置できる。さらに、第２音響管１３０には、背面通過部１３４を含んでも良い。背面通過部１３４の形状は、直線であることが好ましい。したがって、背面通過部１３４は、磁気回路１５３の背面側を通過するように配置できる。なお、第５端部１３２を第４端部１２２に比べて磁気回路１５３から遠くに配置した場合、背面通過部１３４は、背面通過部１２４の外側に配置される。すなわち、第２音響管１３０が、第１音響管１２０の外側に配置されている。
【００３９】
図１に示すように、第３端部１０４が、第１側面１０３Ｅと磁気回路１５３との間に設けられ、かつ背面通過部１２４が磁気回路１５３の背面側を通過する。この構成により、図１に示すように、磁気回路１５３と第３側面１０３Ｇとの間にラビリンス部分１２３を配置できる。したがって、筐体１０３内の空間を有効に利用できる。その結果、筐体１０３は、小さくできる。図５に示す背面通過部１３４は、磁気回路１５３の背面側を通過するので、第１開口部１０２は、スピーカユニット１５０から遠くに配置できる。また、第２音響管１３０の長さを長くできるので、ヘルムホルツ共鳴周波数を低くできる。さらに、背面通過部１３４は、背面通過部１２４の背面側を通過することが好ましい。この構成により、第２音響管１３０の配管の経路は簡単である。また、第２音響管１３０の長さは、さらに長くできるので、ヘルムホルツ共鳴周波数を低くできる。
【００４０】
図３に示すように、側面１０３Ｂは、図１に示す第２音響管１３０の外壁面を兼ねることが好ましい。なお、第２音響管１３０の外壁面は、第１側面１０３Ｅ、第２側面１０３Ｆ、第３側面１０３Ｇ、前面１０３Ａのうちのいずれか１つを兼ねても良い。あるいは、第２音響管１３０の外壁面は、第１側面１０３Ｅ、第２側面１０３Ｆ、第３側面１０３Ｇ、前面１０３Ａのうちの２つ以上を兼ねても良い。この構成により、図１に示す第２音響管１３０の壁は、側面１０３Ｂと個別に設ける必要がないので、側面１０３Ｂを薄くできる。したがって、筐体１０３を小さくできる。また、筐体１０３や第２音響管１３０は樹脂製であることが好ましい。この場合、筐体１０３や第２音響管１３０は、射出成形などの方法によって、形成できる。したがって、筐体１０３と第２音響管１３０は、射出成形などの方法により、容易に成形できる。その結果、筐体１０３は安価である。
【００４１】
なお、第２音響管１３０を第１音響管１２０の外側に配置しているが、これに限られない。第１音響管１２０を第２音響管１３０の外側に配置してもかまわない。この場合、第１音響管１２０の外壁面が側面１０３Ｂを兼ねる。
【００４２】
筐体１０３内には、複数の連結壁を含むことが好ましい。連結壁は、図２に示す上面１０３Ｃと下面１０３Ｄの間を連結している。このように、上面１０３Ｃと下面１０３Ｄとの間が複数の連結壁によって連結されているので、筐体１０３の強度は強い。また、上面１０３Ｃや下面１０３Ｄの共振による不要な音の発生を抑制できる。また、筐体１０３や連結壁は樹脂製であることが好ましい。この場合、筐体１０３や連結壁は、たとえば、射出成形などの方法によって、形成できる。したがって、筐体１０３と連結壁とを一体に成形することは、容易である。その結果、筐体１０３は安価である。連結壁は、たとえば、第１連結壁１１０Ａ、第２連結壁１１０Ｂ、第３連結壁１１０Ｃ、第４連結壁１１０Ｄを含んでも良い。
【００４３】
第１連結壁１１０Ａの側面は、第２音響管１３０の内壁面を兼ねても良い。あるいは、第１連結壁１１０Ａの側面は、第１音響管１２０の内壁面を兼ねても良い。この場合、第１連結壁１１０Ａには、第２連結壁１１０Ｂと、第３連結壁１１０Ｃを含んでも良い。なお、第２連結壁１１０Ｂは、第３連結壁１１０Ｃに対して直行するように配置されている。そのために、第１音響管１２０あるいは第２音響管１３０は折れ曲がっている。すなわち、第１連結壁１１０Ａには、第２連結壁１１０Ｂと第３連結壁１１０Ｃの間に折れ曲がり部を含んでいる。この構成により、筐体１０３の強度は大きい。また、図２に示す上面１０３Ｃあるいは下面１０３Ｄの共振による異常音の発生を抑制できる。したがって、スピーカシステム１０１から出力される音のピークやディップなどの発生を抑制できる。
【００４４】
なお、第２連結壁１１０Ｂの側面は、第２音響管１３０の内壁面を兼ねても良い。あるいは、第２連結壁１１０Ｂの側面は、第１音響管１２０の内壁面を兼ねても良い。さらに第３連結壁１１０Ｃの側面は、第２音響管１３０の内壁面を兼ねても良い。あるいは、第３連結壁１１０Ｃの側面は、第１音響管１２０の内壁面を兼ねても良い。
【００４５】
さらに第１連結壁１１０Ａは、第１音響管１２０と第２音響管１３０の間に設けても良い。すなわち、第１連結壁１１０Ａは、第１音響管１２０と第２音響管１３０を仕切っている。この場合、第１連結壁１１０Ａには、第１共用壁１４１を設けることが好ましい。第１共用壁１４１では、第１共用壁１４１の一方の側面が、第２音響管１３０の内壁面を兼ねている。さらに、第１共用壁１４１の他方の側面が、第１音響管１２０の内壁面を兼ねている。すなわち、第１共用壁１４１の一方の面側に第１音響管１２０が形成され、第１共用壁１４１の他方の面側に第２音響管１３０が形成されている。この構成により、第１音響管１２０と第２音響管１３０のそれぞれに壁を設ける必要がない。したがって、第１音響管１２０は、第２音響管１３０の近くに配置できるので、筐体１０３を小さくできる。
【００４６】
図８は、第１音響管１２０の概念図である。第１音響管１２０は、折れ曲がっている。そのために、第１音響管１２０には、折り返し部１２０Ａを含んでいることが好ましい。なお、折り返し部１２０Ａでは、たとえば第１音響管１２０が１８０度折れ曲がっている。第１音響管１２０には、さらに第１直線部１２０Ｂ、第２直線部１２０Ｃを含むことが好ましい。なお、第１直線部１２０Ｂは、折り返し部１２０Ａの一端側に連結されている。一方、第２直線部１２０Ｃは、折り返し部１２０Ａの他端側に連結されている。
【００４７】
第４連結壁１１０Ｄは、第１直線部１２０Ｂと第２直線部１２０Ｃとの間に形成されている。すなわち第４連結壁１１０Ｄは、第１直線部１２０Ｂと第２直線部１２０Ｃとの間を仕切っている。この場合、第４連結壁１１０Ｄには第２共用壁１４２を含むことが好ましい。第２共用壁１４２では、第４連結壁１１０Ｄの一方の面のすくなくとも一部が、第１直線部１２０Ｂの内壁面を兼ねている。さらに、第２共用壁１４２では、第４連結壁１１０Ｄの他方の面のすくなくとも一部が、第２直線部１２０Ｃの内壁面を兼ねている。この構成により、第１直線部１２０Ｂの壁と第２直線部１２０Ｃの壁とは共有できるので、第１直線部１２０Ｂの壁と第２直線部１２０Ｃの壁をそれぞれ別個に設ける必要がない。したがって、第１直線部１２０Ｂと第２直線部１２０Ｃの間の間隔を小さくできる。すなわち、第４連結壁１１０Ｄの厚みを薄くできる。その結果、筐体１０３は、小さくできる。
【００４８】
折り返し部１２０Ａは、複数個所形成することが好ましい。この構成により、第１音響管１２０の共振周波数を所望の周波数に設定できる。また、折り返し部１２０Ａは、図３に示す上面１０３Ｃの外周のうちで、最も長い辺に連結された面に沿って形成することが好ましい。なお、スピーカシステム１０１では、上面１０３Ｃと前面１０３Ａとによって形成される辺が最も長い。したがって、図１に示すように、折り返し部１２０Ａは、前面１０３Ａに沿って配置することが好ましい。この構成により、筐体１０３内に折り返し部１２０Ａを数多く並べて配置できる。したがって、第１音響管１２０は、周波数の高い音を良好に減衰できる。
【００４９】
図８に示すように、第４連結壁１１０Ｄは、第２連結壁１１０Ｂと直交するように配置することが好ましい。この構成により、筐体１０３の強度は大きい。また、図２に示す上面１０３Ｃあるいは下面１０３Ｄの共振による異常音の発生を抑制できる。したがって、スピーカシステム１０１から出力される音のピークやディップなどの発生を抑制できる。
【００５０】
なお、第３連結壁１１０Ｃは、第２連結壁１１０Ｂと交差してもかまわない。たとえば、第３連結壁１１０Ｃと第２連結壁１１０Ｂとは、Ｔ字状に交差している。そして、図１に示す筐体１０３は、第３連結壁１１０Ｃと第２連結壁１１０Ｂとが交差する位置に、交差部１１０Ｅを含んでいる。
【００５１】
図３に示すように、交差部１１０Ｅには、凹部１０８を形成することが好ましい。この構成により、上面１０３Ｃや下面１０３Ｄの共振を抑制できる。したがって、上面１０３Ｃや下面１０３Ｄの共振による異常な音の発生を抑制できる。なお、凹部１０８は、上面１０３Ｃ側に限らず、下面１０３Ｄ側に形成しても良い。あるいは、凹部１０８は、上面１０３Ｃ側と下面１０３Ｄ側の両方に形成しても良い。
【００５２】
あるいは、交差部１１０Ｅには、さらに図２に示す上面１０３Ｃと下面１０３Ｄとの間を貫通する貫通孔１０９を設けてもかまわない。この構成により、さらに上面１０３Ｃや下面１０３Ｄの共振を抑制できる。したがって、上面１０３Ｃや下面１０３Ｄの共振による異常な音の発生を抑制できる。
【００５３】
図９は、本実施の形態の他の例のスピーカシステム２０１を上から見た場合の断面図である。スピーカシステム２０１は、磁気回路１５３の第３側面１０３Ｇ側に、第４端部１２２を形成している。したがって、磁気回路１５３の背面側には、背面通過部１３４のみが設けられている。その結果、磁気回路１５３の背面と、背面通過部１３４との間には、第１音響管１２０が配置されていない。その結果、スピーカシステム２０１は、前面１０３Ａと第２側面１０３Ｆとの間を短くできる。したがって、筐体１０３を小さくできる。
【００５４】
図１０は、実施の形態のさらに他の例のスピーカシステム２１１を上から見た場合の断面図である。スピーカシステム２１１は、磁気回路１５３の第３側面１０３Ｇ側に、第４端部１２２と第５端部１３２を形成している。したがって、磁気回路１５３の背面側には、第１音響管１２０、第２音響管１３０が配置されていない。その結果、スピーカシステム２１１は、前面１０３Ａとスピーカユニット１５０の背面における第２側面２１１Ｆとの間を短くできる。したがって、筐体１０３を小さくできる。
【００５５】
図１１は、実施の形態のさらなる例のスピーカシステム２２１を上から見た場合の断面図である。スピーカシステム２２１では、第１端部１２１が第３側面１０３Ｇ側に形成されている。
【００５６】
図１２は、スピーカシステムを用いた電子機器の概念図である。図１３は、スピーカシステムを用いた電子機器の要部断面図である。電子機器５０１は、枠体５０２、増幅部５０３、スピーカシステム１０１を含んでいる。
【００５７】
増幅部５０３とスピーカシステム１０１は、枠体５０２内に収納されている。なお、スピーカシステム１０１には、増幅部５０３の出力側が電気的に接続されている。
【００５８】
スピーカシステム１０１は、さらに表示部５０４を含んでも良い。なお、表示部５０４は、枠体５０２の前面側の中央部に配置されている。枠体５０２には、上部枠、下部枠、右枠、左枠を含んでも良い。そして、スピーカシステム１０１は、下枠に収納してもかまわない。あるいは、スピーカシステム１０１は、上枠に収納してもかまわない。さらに、スピーカシステム１０１は、上枠と下枠の双方に収納してもかまわない。
【００５９】
スピーカシステム１０１は、枠体５０２の角部５０２Ａの近傍に配置してもかまわない。筐体１０３は非常に頑丈であるので、電子機器５０１の角部分の強度は大きい。したがって、電子機器５０１が落下したような場合でも、枠体５０２や電子機器５０１の破損を抑制できる。
【００６０】
さらに、筐体１０３の一部を枠体５０２から露出してもかまわない。なお、筐体１０３と枠体５０２の色は、同系色であることが好ましい。この構成により、電子機器５０１を小さくできる。なお、スピーカシステム１０１は、枠体５０２の下面側から、ねじによって固定することが好ましい。この場合、ねじは、図８に示す前面１０３Ａと第４連結壁１１０Ｄとが交差する位置に設けておくことが好ましい。前面１０３Ａと第４連結壁１１０Ｄとが交差する場所にねじ孔を設ければ、筐体１０３が大きくなることを抑制できる。
【００６１】
なおスピーカユニット１５０は、前面１０３Ａの中央からオフセットした位置に装着することが好ましい。そして、スピーカシステム１０１は、前面１０３Ａが下方を向む方向で、枠体５０２へ装着されている。この場合、スピーカシステム１０１は、スピーカユニット１５０が角部５０２Ａから離れる向きで、枠体５０２に収納することが好ましい。この構成により、電子機器５０１の角部分の強度は大きい。したがって、電子機器５０１が落下したような場合でも、枠体５０２や電子機器５０１の破損を抑制できる。また、スピーカユニット１５０が角部５０２Ａから離れるので、電子機器５０１を搬送するような場合に、誤ってスピーカユニット１５０に指が触れた場合でも、振動板１５４が変形することを抑制できる。なお、電子機器５０１は、スピーカシステム１０１に代えて、スピーカシステム２０１、スピーカシステム２１１あるいはスピーカシステム２２１のいずれを用いてもかまわない。
【００６２】
図１４は、本実施の形態のスピーカシステムを用いた他の例の電子機器の概念図である。電子機器５１１では、右枠と左枠とにスピーカユニット１５０を装着している。
【００６３】
図１５は、本実施の形態のスピーカシステムを用いた移動体装置の概念図である。移動体装置６０１は、内部に空間６０２を有した本体部６０３、駆動部６０４、増幅部６０５、スピーカシステム１０１を含んでいる。駆動部６０４、増幅部６０５、スピーカシステム１０１とは、本体部６０３内に収納されている。なお、駆動部６０４にはエンジン、モータ、タイヤや変速装置を含んでも良い。増幅部６０５の出力側は、スピーカシステム１０１へ電気的に接続されている。なお、増幅部６０５には、音源の入力装置や、音源をオーディオ信号へと変換する処理装置を含んでもかまわない。
【００６４】
たとえば、スピーカシステム１０１は、ダッシュボードに設置してもかまわない。スピーカシステム１０１の設置場所は、それに限られない。スピーカシステム１０１は、たとえば、ドア、天井、座席などへも設置できる。
【００６５】
なお、移動体装置６０１は、スピーカシステム１０１に代えて、スピーカシステム２０１、スピーカシステム２１１あるいはスピーカシステム２２１のいずれを用いてもかまわない。
【産業上の利用可能性】
【００６６】
本発明にかかるスピーカシステムは、小型ながら低音を良好に再生できるという効果を有し、特にテレビなどの電子機器や、自動車などの移動体装置等に用いると有用である。
【符号の説明】
【００６７】
１０１  スピーカシステム
１０２  第１開口部
１０３  筐体
１０３Ａ  前面
１０３Ｂ  側面
１０３Ｃ  上面
１０３Ｄ  下面
１０３Ｅ  第１側面
１０３Ｆ  第２側面
１０３Ｇ  第３側面
１０３Ｈ  前面端部
１０４  第３端部
１０５  第２開口部
１０６  音響空間
１０６Ａ  空間
１０７  距離
１０８  凹部
１０９  貫通孔
１１０Ａ  第１連結壁
１１０Ｂ  第２連結壁
１１０Ｃ  第３連結壁
１１０Ｄ  第４連結壁
１１０Ｅ  交差部
１２０  第１音響管
１２０Ａ  折り返し部
１２０Ｂ  第１直線部
１２０Ｃ  第２直線部
１２１  第１端部
１２２  第４端部
１２３  ラビリンス部分
１２４  背面通過部
１３０  第２音響管
１３１  第２端部
１３２  第５端部
１３４  背面通過部
１４１  第１共用壁
１４２  第２共用壁
１５０  スピーカユニット
１５１  フレーム
１５１Ａ  孔
１５１Ｂ  遮蔽部
１５２  磁気回路固定部
１５３  磁気回路
１５３Ａ  ヨーク
１５３Ｂ  磁石
１５３Ｃ  上部プレート
１５３Ｄ  センターポール
１５３Ｅ  反発磁石
１５４  振動板
１５５  ボイスコイル
１５６  磁気ギャップ
１５７  横幅
１５８  ダストキャップ
２０１  スピーカシステム
２１１  スピーカシステム
２１１Ｆ  第２側面
２２１  スピーカシステム
５０１  電子機器
５０２  枠体
５０２Ａ  角部
５０３  増幅部
５０４  表示部
５１１  電子機器
６０１  移動体装置
６０２  空間
６０４  駆動部
６０５  増幅部
【図１】
2015026888.tif 000003
【図２】
2015026888.tif 000004
【図３】
2015026888.tif 000005
【図４】
2015026888.tif 000006
【図５】
2015026888.tif 000007
【図６】
2015026888.tif 000008
【図７】
2015026888.tif 000009
【図８】
2015026888.tif 000010
【図９】
2015026888.tif 000011
【図１０】
2015026888.tif 000012
【図１１】
2015026888.tif 000013
【図１２】
2015026888.tif 000014
【図１３】
2015026888.tif 000015
【図１４】
2015026888.tif 000016
【図１５】
2015026888.tif 000017